(57)【要約】【課題】  コンパクトで高性能なズームレンズを備えた撮像装置を提供する。【解決手段】  物体側から像面側へと順に負のパワーを有する第１レンズ群１０と、正のパワーを有する第２レンズ群２０と、正のパワーを有する第３レンズ群３０でレンズ系を構成し、各レンズ群の間隔を変化させて変倍を行い、各レンズ群のアッベ数、屈折率や形状などを適切に設定することで、変倍比３倍程度のコンパクトで光学性能の高いズームレンズを備えた撮像装置を提供できる。特にアッベ数を適切に設定することで、色収差を良好に補正し、高解像度に寄与するズームレンズを備えた撮像装置を提供できる。【選択図】        図１
2005164653.tif 000002
【特許請求の範囲】
【請求項１】
負のパワーを有する第１レンズ群と、
正のパワーを有する第２レンズ群と、
正のパワーを有する第３レンズ群とを、物体側から像面側に向けて順に有し、
広角端から望遠端への変倍に際し、前記第１レンズ群は像側に凸状の軌跡を描いて移動し、前記第２レンズ群は光軸上を物体側に移動し、前記第３レンズ群は光軸上を像側に移動することにより変倍を行うとともに、
前記第１レンズ群は、少なくとも１面の非球面を含む像面側に凹面を向けた負のパワーを有する第１レンズと、物体側に凸面を向けた正のパワーを有するメニスカス状の第２レンズからなり、
前記第２レンズ群は、少なくとも１面の非球面を含む正のパワーを有する第３レンズと、像面側に凹面を向けた負のパワーを有するメニスカス状の第４レンズ、正のパワーを有する第５レンズからなり、
前記第３レンズ群は、少なくとも１面の非球面を含む正のパワーを有する第６レンズからなることを特徴とする撮像装置。
【請求項２】
下記条件式（１）から（５）を満足することを特徴とする請求項１に記載の撮像装置：
（１） νｄ１／νｄ２＞１．９
（２） （ｎｄ１＋ｎｄ２）／２＞１．７５
（３） （ｎｄ３＋ｎｄ４）／２＞１．６４
（４） ０．３＜Ａｂｓ（ｆ１／ｆ１２）＜０．５５
（５） ０．８５＜Ａｂｓ（ｆ４／ｆ３５）＜１．０
ただし、νｄ１：第１レンズのアッベ数、νｄ２：第２レンズのアッベ数、ｎｄ１：第１レンズの屈折率、ｎｄ２：第２レンズの屈折率、ｎｄ３：第３レンズの屈折率、ｎｄ４：第４レンズの屈折率、ｆ１：第１レンズの焦点距離、ｆ１２：第１レンズ群の焦点距離、ｆ４：第４レンズの焦点距離、ｆ３５：第２レンズ群の焦点距離、Ａｂｓ：絶対値、
を表す。
【発明の詳細な説明】
【技術分野】
【０００１】
本発明は、撮像装置に関し、特に、ＣＣＤ（Charge Coupled Device）やＣＭＯＳ（Complementary Metal-Oxide Semiconductor）等の受光素子を用いた携帯端末搭載カメラ、ＰＣカメラ、監視カメラ、デジタルスチルカメラなどの撮像装置に関する。
【背景技術】
【０００２】
急速に普及が拡大するデジタルカメラ、ＤＶＤ（Digital Versatile Disk）レコーダや、もはやオフィスの必需品となっている複写機、レーザプリンタ、スキャナなど、これら市場を拡大し続け、経済を牽引する役目を担う様々な機器や装置になくてはならない重要なコンポーネントとして、レンズやミラーといった光学部品で構成される光学系がある。
【０００３】
携帯電話に搭載されているカメラを見ても明らかなように、この光学系の性能こそが商品そのものの価値を大きく左右する要素になっているといっても過言ではない。例えば、レンズ系の性能を向上させることで、液晶プロジェクターなどのＤＬＰ（Digital Light Processing）方式投影装置がスクリーンに精細な画像を映し出すことができる技術が知られている（例えば、特許文献１参照）。
【特許文献１】特開２００２−１１６３８０号公報
【発明の開示】
【発明が解決しようとする課題】
【０００４】
ところで、デジタルカメラや携帯端末搭載カメラに搭載されるレンズ系は、高性能化のみならず、さらなるコンパクト化が求められる。そこで、負のパワーを有する第１レンズ群、正のパワーを有する第２レンズ群、正のパワーを有する第３レンズ群を、物体側から像面側に向けて順に配置される３群構成のレンズ系において、例えば、広角端から望遠端への変倍時において、第３レンズ群を像側に移動させることで、変倍時における第２レンズ群の移動量を低減させる技術が提案されている。また、そのレンズ系は、正のパワーを有するレンズを含んでいる。
【０００５】
確かに、上述の提案は、レンズ系全体の長さを決定づける要素である変倍時の第２レンズ群の移動量を低減させることで、レンズ系全体のコンパクト化を考慮しているが、正のパワーを有するレンズを使用していることで色収差が特に顕著に現れることになり、光学系の品質面で改善の余地がある。
【０００６】
本発明は、そうした課題に鑑みてなされたものであり、その目的は、コンパクトかつ高性能なズームレンズを備えた撮像装置を提供することにある。
【課題を解決するための手段】
【０００７】
本発明のある態様は、撮像装置に関する。この撮像装置は、負のパワーを有する第１レンズ群と、正のパワーを有する第２レンズ群と、正のパワーを有する第３レンズ群とを、物体側から像面側に向けて順に有し、広角端から望遠端への変倍に際し、第１レンズ群は像側に凸状の軌跡を描いて移動し、第２レンズ群は光軸上を物体側に移動し、第３レンズ群は光軸上を像側に移動することにより変倍を行う。この態様の撮像装置において、第１レンズ群は、少なくとも１面の非球面を含む像面側に凹面を向けた負のパワーを有する第１レンズと、物体側に凸面を向けた正のパワーを有するメニスカス状の第２レンズからなり、第２レンズ群は、少なくとも１面の非球面を含む正のパワーを有する第３レンズと、像面側に凹面を向けた負のパワーを有するメニスカス状の第４レンズ、正のパワーを有する第５レンズからなり、第３レンズ群は、少なくとも１面の非球面を含む正のパワーを有する第６レンズからなる。
【０００８】
この撮像装置は、下記条件式（１）から（５）を満足する装置であってもよい。
【０００９】
（１） νｄ１／νｄ２＞１．９
（２） （ｎｄ１＋ｎｄ２）／２＞１．７５
（３） （ｎｄ３＋ｎｄ４）／２＞１．６４
（４） ０．３＜Ａｂｓ（ｆ１／ｆ１２）＜０．５５
（５） ０．８５＜Ａｂｓ（ｆ４／ｆ３５）＜１．０
ただし、νｄ１：第１レンズのアッベ数、νｄ２：第２レンズのアッベ数、ｎｄ１：第１レンズの屈折率、ｎｄ２：第２レンズの屈折率、ｎｄ３：第３レンズの屈折率、ｎｄ４：第４レンズの屈折率、ｆ１：第１レンズの焦点距離、ｆ１２：第１レンズ群の焦点距離、ｆ４：第４レンズの焦点距離、ｆ３５：第２レンズ群の焦点距離、Ａｂｓ：絶対値、を表す。
【００１０】
これにより、物体側から像面側へと順に負のパワーを有する第１レンズ群と、正のパワーを有する第２レンズ群と、正のパワーを有する第３レンズ群とでズームレンズを構成し、各レンズ群の間隔を変化させて変倍を行い、各レンズ群のアッベ数、屈折率や形状などを適切に設定することで、コンパクトで光学性能の高いズームレンズを備えた撮像装置を提供できる。特にアッベ数を適切に設定することで、色収差を良好に補正し、高解像度に寄与するズームレンズを備えた撮像装置を提供できる。
【発明の効果】
【００１１】
本発明によれば、ズームレンズの各レンズ群のレンズ構成を適切に設定するとともに、各条件式を満足させることにより、コンパクトで高性能なズームレンズを有する撮像装置を提供できる。
【発明を実施するための最良の形態】
【００１２】
以下、具体的な実施例について、図面を参照して説明する。
【００１３】
本実施の形態に係る撮像装置は、デジタルスチルカメラやビデオカメラなどを指し、ＣＣＤやＣＯＭＳ等の電子撮像素子を用いたカメラに好適な、高い光学性とコンパクト化を実現した変倍比３倍程度のズームレンズを有する。
【００１４】
図１は広角端におけるズームレンズの構成を示す図であり、図２は、望遠端におけるズームレンズの構成を示す図である。図１は広角端のレンズ配置を光学断面図で示し、広角端のレンズ配置を「position1」ともいう。図２は望遠端のレンズ配置を光学断面図で示し、望遠端のレンズ配置を「position2」ともいう。図２におけるズームレンズは、レンズの構成は同一で、数値例が異なることから、各光学断面図において、同一のレンズに相当するものには同じ符号を付している。なお、図２において、見やすさを考慮して符号を一部省略している。
【００１５】
ズームレンズは、物体側から像面側へ、本図では左側から右側へ、負のパワーを有する第１レンズ群１０、正のパワーを有する第２レンズ群２０、正のパワーを有する第３レンズ群３０からなり、その後方には、カバーガラス５０、像面６０が配置される。このズームレンズは、各レンズ群間隔を変化させることにより、変倍を行う。変倍の際、レンズ群を単位として駆動され、これらのレンズ群の配置関係は固定である。例えば、広角端から望遠端への変倍に際し、第１レンズ群１０は像側に凸状の軌跡を描いて移動し、第２レンズ群２０は光軸上を物体側に移動し、第３レンズ群３０は光軸上を像側に移動する。
【００１６】
第１レンズ群１０は、物体側から順に、第１レンズ１１、第２レンズ１２のレンズ２枚から構成される。第１レンズ１１は像面側に凹面を向けた負のパワーを有するメニスカス状のレンズであり、更に第１レンズ１１の像面側の面は、非球面である。第２レンズ１２は物体側に凸面を向けた正のパワーを有するメニスカス状のレンズである。
【００１７】
第２レンズ群２０は、物体側から正のパワーを有する第３レンズ１３、像面側に凹面を向けた負のパワーを有するメニスカス状の第４レンズおよび正のパワーを有する第５レンズ１５のレンズ２枚から成る接合レンズを含む。また、第３レンズ１３の物体側の面は、非球面である。さらに、第３レンズ１３の物体側には絞り１７が設けられる。
【００１８】
第３レンズ群３０は、物体側に凸面を向けた正のパワーを有する１枚の第６レンズ１６からなり、更に物体側の面は非球面である。
【００１９】
なお、図中のｒｉ（ｉ＝１〜１６）は、面番号を示している。ｒ５は絞り１７を示し、ｒ１６は受光面を示している。なお、物体側から像面側へ、本図では左側から右側へ数えて、第ｎ番目の面と第ｎ＋１番目の面との光軸上の間隔を、面間隔ｔｈｉ［ｎ］と表している。また、ズームレンズの広角端の状態と望遠端の状態は、それぞれ第１レンズ群１０と第２レンズ群２０との面間隔ｔｈｉ４、第２レンズ群２０と第３レンズ群３０との面間隔ｔｈｉ１１、第３レンズ群３０とカバーガラス５０との面間隔ｔｈｉ１３を変化させることによって得られる。
【００２０】
本実施例では、ズームレンズが以下の条件式（１）から（５）を満足するように構成される。
（１）νｄ１／νｄ２＞１．９
（２） （ｎｄ１＋ｎｄ２）／２＞１．７５
（３） （ｎｄ３＋ｎｄ４）／２＞１．６４
（４） ０．３＜Ａｂｓ（ｆ１／ｆ１２）＜０．５５
（５） ０．８５＜Ａｂｓ（ｆ４／ｆ３５）＜１．０
ただし、νｄ１：第１レンズ１１のアッベ数、
νｄ２：第２レンズ１２のアッベ数、
ｎｄ１：第１レンズ１１の屈折率、
ｎｄ２：第２レンズ１２の屈折率、
ｎｄ３：第３レンズ１３の屈折率、
ｎｄ４：第４レンズ１４の屈折率、
ｆ１：第１レンズ１１の焦点距離、
ｆ１２：第１レンズ群１０の焦点距離、
ｆ４：第４レンズ１４の焦点距離、
ｆ３５：第２レンズ群２０の焦点距離、
Ａｂｓ：絶対値、
を表す。
【００２１】
条件式（１）は、変倍比３倍程度のズームレンズにおいて、負のパワーを有する第１レンズ１１および正のパワーを有する第２レンズ１２のアッベ数の比を適切に設定することで、軸上色収差を良好に補正し、それにより優れた光学的性能を提供するものである。つまり、負のパワーを有する第１レンズ１１のアッベ数を大きくし、正のパワーを有する第２レンズ１２のアッベ数を小さくすることで、色消しの効果を高め、さらに２枚という少ない枚数で第１レンズ群１０を構成することで、光学系全体の高精度化およびコンパクト化に貢献することができる。
【００２２】
条件式（２）は、変倍比３倍程度のズームレンズにおいて、負のパワーを有する第１レンズ１１および正のパワーを有する第２レンズ１２の屈折率を適切に設定することで、優れた光学的性能のレンズ系を提供する。条件式（２）の下限値を越えて、屈折率が低くなると、所定の屈折率を得るために各面の曲率半径が小さくなり、特に球面収差や歪曲収差などの軸外諸収差が大きくなる。
【００２３】
条件式（３）は、変倍比３倍程度のズームレンズにおいて、条件式（２）と同様に、正のパワーを有する第３レンズ１３および負のパワーを有する第４レンズ１４の屈折率を適切に設定することで、優れた光学的性能のレンズ系を提供する。条件式（３）の下限値を越えて、屈折率が低くなると、所定の屈折率を得るために各面の曲率半径が小さくなり、特に球面収差や歪曲収差などの軸外諸収差が大きくなる。
【００２４】
条件式（４）は、変倍比３倍程度のズームレンズにおいて、負のパワーを有する第１レンズ１１の焦点距離を適切に設定することで、充分なバックフォーカスを確保しつつ、諸収差を良好に補正し、それにより優れた光学的性能のレンズ系を提供する。条件式（４）の上限値を越えて第１レンズ１１の焦点距離が大きくなると、バックフォーカスを確保することができるが、ペッツバール和が正の方向に大きくなり、像面湾曲の補正が難しくなる。逆に下限値を越えるとペッツバール和を小さくすることができるが、バックフォーカスを確保することが困難になる。
【００２５】
条件式（５）も、変倍比３倍程度のズームレンズにおいて、条件式（４）の場合と同様に、負のパワーを有する第４レンズ１４の焦点距離を適切に設定することで、充分なバックフォーカスを確保しつつ、諸収差を良好に補正することで、優れた光学的性能のレンズ系を提供する。条件式（５）の上限値を越えて第１レンズ１１の焦点距離が大きくなると、バックフォーカスを確保することができるが、ペッツバール和が正の方向に大きくなり、像面湾曲の補正が難しくなる。逆に下限値を超えるとペッツバール和を小さくすることができるが、バックフォーカスを確保することが困難になる。
【００２６】
また、レンズの枚数を増やさずに、第１レンズ群１０中の第１レンズ１１の少なくとも一面を非球面化することにより、主に歪曲収差の発生を低減させることができ、第２レンズ群２０の第３レンズ１３の少なくとも一面を非球面化することにより、主に球面収差の発生を低減させることができる。
【００２７】
さらに、第３レンズ群３０に正のパワーを有する第６レンズ１６を配置することにより、光学系の射出瞳位置を遠ざけて、電子撮像素子特有のシェーディング現象を押さえることができる。また、少なくとも一面を非球面化することにより、第１レンズ群１０および第２レンズ群２０で生じた残存収差をズーム全域において、効率よく補正することが可能である。
【００２８】
以下、実験例をもとにズームレンズの構成のレンズデータ、収差図などを表や図を用いて更に具体的に説明する。
【００２９】
（実施例１）
表１は、実験例１におけるレンズ構成データ、非球面係数データ、ズームデータおよび波長データを表している。
【００３０】
【表１】
2005164653.tif 000003
【００３１】
レンズ構成データは、面番号、曲率半径、面間隔、屈折率、アッベ数からなる。表１中のレンズ構成データについて、面番号０は無限遠を示しており、面番号０に記された間隔「０．１００Ｅ＋２２」は、無限遠と面番号１との間隔を示す。ここで「Ｅ＋Ｚ」の表示は、「１０＋Ｚ」を意味し、「Ｅ−Ｚ」の表示は、「１０―Ｚ」を意味する。レンズ構成データの面番号ｎにおける間隔は、面番号ｎと面番号ｎ＋１との間隔を示す。具体的に、面番号１は、曲率半径「５５．２９５」を有し、面番号１と面番号２との距離が「１．０５０」であり、面番号１の面を有するレンズの屈折率が「１．８００２５」、そのレンズのアッベ数が「４０．８」であることを示している。また、図１に示した面番号１６は、像面６０であるために曲率半径や屈折率などのパラメータを有しないので、本レンズ構成データには表れない。なお、面番号４について、面番号５との間隔が変倍により、「１７．４８８」から「２．３１１」まで変動することを示す。前者が広角端における値で、後者が望遠端における値である。
【００３２】
面番号に「ｓ」を付してあるものはその面が絞りを、「＊」を付しているものはその面が非球面であることを表している。非球面係数データは、各非球面における円錐係数および各次の非球面係数からなる。なお、非球面形状は次の式（６）で表される。
【００３３】
（６）  ｚ＝ｃｈ２／[｛１＋（１−（１＋Ｋ）ｃ２ｈ２）｝＋１／２]
＋Ａｈ４＋Ｂｈ６＋Ｃｈ８＋Ｄｈ１０＋Ｅｈ１２＋Ｆｈ１４
ただし、ｚ：非球面深さ、
ｃ：近軸曲率、
Ｋ：円錐係数、
ｈ：光軸からの高さ、
Ａ：４次の非球面係数、
Ｂ：６次の非球面係数、
Ｃ：８次の非球面係数、
Ｄ：１０次の非球面係数、
Ｅ：１２次の非球面係数、
Ｆ：１４次の非球面係数、
を表す。
【００３４】
ズームデータは、position1およびposition2における面間隔ｔｈｉ４、面間隔ｔｈｉ１１および面間隔ｔｈｉ１３を、具体的な数値として示している。波長データは、本実験例において使用した光線の波長を具体的な数値として示している。
【００３５】
表２は、実験例１において各条件式で用いられる各種パラメータやその他の各種パラメータを示している。表２に示された各パラメータは、上述の条件式（１）から（５）までを満足している。
【００３６】
【表２】
2005164653.tif 000004
【００３７】
図３は、実験例１におけるズームレンズの広角端の光線収差を示す図であり、図４は、実験例１におけるズームレンズの望遠端の光線収差を示す図である。さらに、図３（ａ）、図３（ｂ）、図３（ｃ）、図３（ｄ）は、実験例１における広角端の、それぞれ、球面収差、非点収差、歪曲収差、倍率色収差を示す図である。図４（ａ）、図４（ｂ）、図４（ｃ）、図４（ｄ）は、それぞれ、実験例１における望遠端の、それぞれ、球面収差、非点収差、歪曲収差、倍率色収差を示す図である。なお、図３および図４に示す実験結果は、表１および表２のデータに基づいて得られた。
【００３８】
図３（ａ）および図４（ａ）における球面収差のグラフにおいて、縦軸はレンズの明るさ（ＦＮＯ）を、横軸は収差量を表し、ｇ線（４３６ｎｍ）、Ｆ線（４８６ｎｍ）、e線（５４６ｎｍ）、ｄ線（５８８ｎｍ）およびＣ線（６５６ｎｍ）における球面収差を示している。図３（ｂ）および図４（ｂ）における非点収差のグラフにおいて、縦軸は像高を、横軸は収差量を表し、上述の５つの線に対し、それぞれメリディオナル非点収差（Ｍ）とサジタル非点収差（Ｓ）を示している。図３（ｃ）および図４（ｃ）における歪曲収差のグラフにおいて、縦軸は像高を、横軸は収差を表し、ｄ線における歪曲収差を示している。そして、図３（ｄ）および図４（ｄ）における倍率色収差のグラフは、縦軸は像高を、横軸は収差を表し、ｇ線、Ｆ線、e線およびＣ線における倍率色収差を示している。
【００３９】
図３および図４から分かるように、条件式（１）から（５）を満足させるパラメータでズームレンズを構成した場合に、良好に諸収差を補正することができる。
【００４０】
（実験例２）
表３は、実験例２におけるレンズ構成データ、非球面係数データ、ズームデータおよび波長データを示している。
【００４１】
【表３】
2005164653.tif 000005
【００４２】
なお、表３に記載のレンズ構成データ、非球面係数データ、ズームデータおよび波長データのデータ構造は、表１に記載のそれぞれのデータ構造と同一である。表４は、実験例２において各条件式で用いられる各種パラメータやその他の各種パラメータを示している。また、表４に示された各パラメータは、上述の条件式（１）から（５）までを満足している。
【００４３】
【表４】
2005164653.tif 000006
【００４４】
図５は、実験例２におけるズームレンズの広角端の光線収差を示す図であり、図６は、実験例２におけるズームレンズの望遠端の光線収差を示す図である。さらに、図５（ａ）、図５（ｂ）、図５（ｃ）、図５（ｄ）は、実験例２における広角端の、それぞれ、球面収差、非点収差、歪曲収差、倍率色収差を示す図であり、図６（ａ）、図６（ｂ）、図６（ｃ）、図６（ｄ）は、それぞれ、実験例２における望遠端の、それぞれ、球面収差、非点収差、歪曲収差、倍率色収差を示す図である。なお、図５および図６に示す実験結果は、表３および表４のデータに基づいて得られた。
【００４５】
図５および図６から分かるように、条件式（１）から（５）を満足させるパラメータでズームレンズを構成した場合に、良好に諸収差を補正することができる。
【００４６】
（実験例３）
表５は、実験例３におけるレンズ構成データ、非球面係数データ、ズームデータおよび波長データを示している。
【００４７】
【表５】
2005164653.tif 000007
【００４８】
なお、表５に記載のレンズ構成データ、非球面係数データ、ズームデータおよび波長データのデータ構造は、表１および表３に記載のそれぞれのデータ構造と同一である。表６は、実験例３において各条件式で用いられる各種パラメータやその他の各種パラメータを示している。
【００４９】
【表６】
2005164653.tif 000008
【００５０】
図７は実験例３におけるームレンズの広角端の光線収差を示す図であり、図８は実験例３におけるームレンズの望遠端の光線収差を示す図である。さらに、図７（ａ）、図７（ｂ）、図７（ｃ）、図７（ｄ）は、実験例３における広角端の、それぞれ、球面収差、非点収差、歪曲収差、倍率色収差を示す図であり、図８（ａ）、図８（ｂ）、図８（ｃ）、図８（ｄ）は、それぞれ、実験例３における望遠端の、それぞれ、球面収差、非点収差、歪曲収差、倍率色収差を示す図である。なお、図７および図８に示す実験結果は、表５および表６のデータに基づいて得られた。
【００５１】
図７および図８から分かるように、条件式（１）から（５）を満足させるパラメータでズームレンズを構成した場合に、良好に諸収差を補正することができる。
【００５２】
つまり、本実施例によれば、物体側から像面側へと順に負のパワーを有する第１レンズ群と、正のパワーを有する第２レンズ群と、正のパワーを有する第３レンズ群でズームレンズを構成し、各レンズ群の間隔を変化させて変倍を行い、各レンズ群のアッベ数、屈折率や形状などを適切に設定することで、変倍比３倍程度のコンパクトで光学性能の高いズームレンズを備えた撮像装置を提供できる。特にアッベ数を適切に設定することで、色収差を良好に補正し、高解像度に寄与するズームレンズを備えた撮像装置を提供できる。
【００５３】
以上、本発明を実施例をもとに説明した。この実施の形態は例示であり、それらの各構成要素やその組合せにいろいろな変形が可能なこと、またそうした変形例も本発明の範囲にあることは当業者に理解されるところである。
【図面の簡単な説明】
【００５４】
【図１】広角端におけるズームレンズの構成を示す図である。
【図２】望遠端におけるズームレンズの構成を示す図である。
【図３】実験例１におけるズームレンズの広角端の光線収差を示す図である。
【図４】実験例１におけるズームレンズの望遠端の光線収差を示す図である。
【図５】実験例２におけるズームレンズの広角端の光線収差を示す図である。
【図６】実験例２におけるズームレンズの望遠端の光線収差を示す図である。
【図７】実験例３におけるズームレンズの広角端の光線収差を示す図である。
【図８】実験例３におけるズームレンズの望遠端の光線収差を示す図である。
【符号の説明】
【００５５】
１０  第１レンズ群、１１  第１レンズ、１２  第２レンズ、１３  第３レンズ、１４  第４レンズ、１５  第５レンズ、１６  第６レンズ、２０  第２レンズ群、３０  第３レンズ群、６０  像面。
【図１】
2005164653.tif 000009
【図２】
2005164653.tif 000010
【図３】
2005164653.tif 000011
【図４】
2005164653.tif 000012
【図５】
2005164653.tif 000013
【図６】
2005164653.tif 000014
【図７】
2005164653.tif 000015
【図８】
2005164653.tif 000016